(57)【要約】【課題】植物の高さを所定の高さ以下に簡単に保ちつつ栽培可能にする。【解決手段】ワイヤに引っ掛けるフック部６ａを有するフック本体６にボス部６ｂを設け、ボス部によリール７を回転自在に支持し、リールにはひも５を巻き付けておき、ボス部にスライド自在に設けたスライド部材８の先端部が係合し得る孔７ｄをリールの円筒部７ａに設け、孔に突入する向きに弾発付勢されたスライド部材を設け、プッシュロッド１１を押すことによりスライド部材を孔から離脱可能にする。スライド部材と孔との係合状態でリールの回転を止め、係合を解除することにより植物の重さによりひもが垂れ下がる方向にリールが回転可能になるため、垂れ下がり長さが任意の長さになったらプッシュロッドの押し込みを解除することより、弾発付勢力によりスライド部材が孔に突入してリールの回転が止められるため、ひもを垂らす長さを任意に調節することができる。【選択図】図３
2005124424.tif 000002
【特許請求の範囲】
【請求項１】
植物の成長部分を沿わせるためのひもを垂らし、前記植物の成長に応じて前記ひもの垂らす長さを変えていくようにした植物の栽培に用いられる植物栽培用ひも長さ調整器であって、
前記植物の上方の所定の高さに設けられた架線などに引っ掛けるようにしたフックと、前記フックに回転自在に設けられかつ前記ひもを巻き付けられたリールと、前記リールの前記ひもを繰り出す回転方向に対して所定の回転角度毎に前記リールの回転を止めるべく前記フックと前記リールとの間に設けられかつ両者同士を係合状態にする回転停止手段と、前記回転停止手段による前記係合状態を解除可能にするべく前記フックに設けられた係合状態解除手段とを有することを特徴とする植物栽培用ひも長さ調整器。
【請求項２】
前記回転停止手段が、前記リールに設けられた孔と、前記リールの回転により前記孔と整合するように前記フックに往復動自在に設けられたスライド部材と、前記スライド部材を前記孔に突入させる向きに弾発付勢するべく前記フックに設けられたばね手段とを有することを特徴とする請求項１に記載の植物栽培用ひも長さ調整器。
【請求項３】
前記係合状態解除手段が、前記スライド部材を前記弾発付勢力に抗して前記孔から離脱させる方向にスライドさせるべく、前記スライド部材の前記往復動方向に対して交差する向きに変位するように前記フックに設けられたプッシュロッドと、前記スライド部材と前記プッシュロッドとの間に設けられたカム手段とを有することを特徴とする請求項２に記載の植物栽培用ひも長さ調整器。
【発明の詳細な説明】
【技術分野】
【０００１】
本発明は、トマトなどの成長の早い植物を所定の高さ以下にして栽培するのに適する植物栽培用ひも長さ調整器に関するものである。
【背景技術】
【０００２】
従来、例えばトマトのような茎の伸びが大きい植物をハウス栽培する場合に、茎の先端部に結実した実の収穫が困難になるため、茎の高さを所定の高さ以下にしておくように、天井側から吊り下げられたひもに茎を沿わせ、成長により茎が伸びていくに連れてひもを順次繰り出すようにして栽培する方式が知られている。例えば天井側にワイヤを水平状態に張り、ひもを巻き付け可能にした金具をワイヤに引っ掛け、その金具から垂らした状態のひもの金具側を金具に結んでおき、茎の伸びに応じてひもをほどいて繰り出しかつ結び直すことで、茎が伸びても茎の先端位置の高さが所定以上にならないようにすることができる。
【０００３】
上記ひもの繰り出し方法でもトマトなどの栽培に対応可能であるが、ひもを繰り出す度にひもをほどいて結び直すなど作業が繁雑である。それに対して、ワイヤに糸巻器を吊るし、その糸巻部に巻かれた糸を垂らし、トマトの苗の生長にあわせて糸巻部に巻かれた糸を順次ほどき、適当な長さにした糸を糸巻器に形成した切り込みにひっかけて止めるようにしたものがある（例えば、特許文献１参照。）。
【０００４】
【特許文献１】特開平６−１３３６４７号公報（第２頁、図６）
【発明の開示】
【発明が解決しようとする課題】
【０００５】
しかしながら、上記糸巻器を用いたものにあっても、糸巻器から糸をほどき、適当な長さで糸を止めるためには、糸巻器の切り込みにひっかけていた糸を外し、再度切り込みにひっかけるという作業を行うものであり、その作業をワイヤから糸巻器を外して行うために糸巻器をワイヤに引っ掛けたり取り除いたりするための棒状の補助具を使用するようにしている。そのため、ひもの繰り出し作業の工程が煩雑化するという問題がある。また、糸巻器をワイヤに引っ掛け直さないと、ひもの繰り出し長さが適切であるか否かを確認できず、ひもの繰り出し量の調整には熟練を必要とするという問題がある。
【課題を解決するための手段】
【０００６】
このような課題を解決して、高さを所定の高さ以下に保ちつつ栽培する方式の植物栽培において簡単に高さ調整を行うことを実現するために本発明に於いては、植物の成長部分を沿わせるためのひもを垂らし、前記植物の成長に応じて前記ひもの垂らす長さを変えていくようにした植物の栽培に用いられる植物栽培用ひも長さ調整器であって、前記植物の上方の所定の高さに設けられた架線などに引っ掛けるようにしたフックと、前記フックに回転自在に設けられかつ前記ひもを巻き付けられたリールと、前記リールの前記ひもを繰り出す回転方向に対して所定の回転角度毎に前記リールの回転を止めるべく前記フックと前記リールとの間に設けられかつ両者同士を係合状態にする回転停止手段と、前記回転停止手段による前記係合状態を解除可能にするべく前記フックに設けられた係合状態解除手段とを有するものとした。
【発明の効果】
【０００７】
このように本発明によれば、フックにリールを回転自在に設け、そのリールに巻き付けたひもの垂らす長さをリールを回転させることで長くすることができるため、垂らしたひもに植物を沿わせて成長させる栽培において、植物が所定の高さ以上に成長した場合にはその成長分に応じてリールを回転させて垂らすひもの長さを長くしていくことにより、植物の高さが所定以上にならないようにすることができる。そして、回転停止手段によりリールの回転を任意の位置で止めることができると共に、回転停止手段による係合状態を係合状態解除手段により解除することにより、ひもに絡み付いている植物の重さによりひもが垂れ下がる方向にリールを回転させることができる。ひもの垂れ下がり長さが任意の長さになったら係合状態解除手段による係合解除を戻すことにより、回転停止手段によりリールを再び回転停止状態にすることができる。このようにして、ひもを垂らす長さを任意に調節することができる。
【０００８】
特に、回転停止手段を、リールに設けられた孔と、リールの回転により孔と整合するようにフックに往復動自在に設けられたスライド部材と、スライド部材を孔に突入させる向きに弾発付勢するばね手段とにより構成すると良い。これにより、リールに設けた孔とスライド部材とばね手段という簡単な組み合わせでリールの回転停止を実現できるため、安価な吊り具を提供し得る。
【０００９】
また、係合状態解除手段を、スライド部材を弾発付勢力に抗して孔から離脱させる方向にスライドさせるべく、スライド部材の往復動方向に対して交差する向きに変位するようにフックに設けられたプッシュロッドと、スライド部材とプッシュロッドとの間に設けられたカム手段とにより構成すると良い。これにより、プッシュロッドを押し込むことによりスライド部材をリールの孔から離脱させる方向にスライドさせることができ、リールの回転停止状態を簡単な操作で解除することができるため、リールを回してひもを繰り出す作業が簡単になる。
【発明を実施するための最良の形態】
【００１０】
以下、本発明の実施の形態を、図面を参照しながら説明する。図１は例えばトマトの養液栽培による状態を示す図である。図１において、図示されない棚などの上にマット１が載置され、マット１上にはトマトの苗２が植え付けられている。マット１の上方の所定の高さの位置にはワイヤ３が略水平状態に張られている。そのワイヤ３には、本発明に基づく植物栽培用ひも長さ調整器としてのひも吊り具４がワイヤ３に吊り下げられている。ひも吊り具４にはひも５が巻き付けられている。トマトの成長初期においては、図の実線に示されるように、苗２のほぼ真上にひも吊り具４を位置させてひも５を垂らし、そのひも５の垂らした部分にトマトの茎を沿わせてつるを巻き付かせる。
【００１１】
図２に上記ひも吊り具４の分解組立斜視図を示す。吊り具４は、上記ワイヤ３に引っ掛けるためのフック部６ａを有するフック本体６と、フック本体６に突設されたボス部６ｂに回転自在に組み付けられるリール７と、ボス部６ｂ内に受容されるスライド部材８及びばね手段としてのコイルばね９と、ボス部６ａの開口を閉塞するように取り付けられる蓋１０と、蓋１０に往復動自在に支持されるプッシュロッド１１とにより構成されている。
【００１２】
フック本体６は適所をリブにより補強された板状をなしていると共に、その一部を延出しかつＵターン状に曲折して上記フック部６ａが形成されている。上記ボス部６ｂは、フック本体６の一方の面を底面とする有底円筒状に形成されている。ボス部６ｂの周壁には、一対の軸線方向切り込みにより周方向に対して分断されて半径方向に変位可能にされた可撓片６ｃが形成されている。この可撓片６ｃの先端部（ボス部６ｂの開口側）にはボス部６ｂの半径方向外向きに突出する係合突部６ｄが形成されている。また、ボス部６ｂの底面には、図３に示されるように、スライド部材８を直径方向にスライド自在に受容する凹設部６ｅが形成されている。
【００１３】
リール７は、ボス部６ｂに同心に回転可能に嵌装される大きさの内径にて形成された円筒部７ａと、その円筒部７ａの軸線方向両端に設けられた一対の半径方向外向きフランジ状のつば部７ｂとにより形成されている。この円筒部７ａの外周面と一対のつば部７ｂ間との間にひも５が巻かれるようになっている。このリール７と上記ボス部６ｂとの関係にあっては、リール７の円筒部７ａをボス部６ｂに嵌装するべくボス部６ｂを円筒部７ａに軸線方向に挿入することにより、上記可撓片６ｃの係合突部６ｄが円筒部７ａ内から外側に飛び出し、つば部７ｂの内周側部分に係合突部６ｄが係合してリール７が抜け止めされるようになっている。また、リール７をボス部６ｂに組み付けた状態で外側に位置する方のつば部７ｂには任意の２箇所に切り込み７ｃが設けられている。これら切り込み７ｃは、ひも５の巻き始め端部を引っ掛けるか両切り込み７ｃに巻き付けるためのものである。
【００１４】
スライド部材８は、図３に併せて示されるように、凹設部６ｅ内に入り得る幅を有する角棒状部分と、その略中央部分から立ち上がる斜面部８ａとを有するように形成されている。また、スライド部材８の長手方向一端部（先端部）が、ボス部６ｂの軸線方向から見て四分円状に形成され、長手方向他端部（後端部）にはコイルばね９の一部を同軸的に内蔵するための孔８ｂが設けられている。ボス部６ｂには凹設部６ｅと連通する開口６ｆが設けられており、その開口６ｆからスライド部材８の先端部が半径方向外方に突出し得るようになっている。
【００１５】
また、リール７の円筒部７ａには、上記開口６ｆから外方に突出したスライド部材８の先端部を受容し得る孔７ｄが周方向に等ピッチ間隔で複数設けられている。孔７ｄの一方の周方向壁は、スライド部材８の先端部における四分円状面側とは相反する側の背面と係合し得るように周方向に直交する面（直交面）に形成され、孔７ｄの他方の周方向壁は、スライド部材８の没入方向に対して斜めにスライド部材８の四分円状の曲面に当接し得る斜面に形成されている。これにより、リール７の一方向（図３の矢印Ａ）への回転に対しては、スライド部材８と孔７ｄの上記直交面とが係合してリール７のそれ以上の回転が止められる。それに対して、リール７の他方向（図３の矢印Ｂ）への回転に対しては、スライド部材８の四分円状の曲面と孔７ｄの斜面との接触状態により互いに摺接し得るため、スライド部材８がコイルばね９の弾発付勢力に抗して孔７ｄから離脱する方向（凹設部６ｅ内への没入方向）に変位して、リール７が図３の矢印Ｂ方向に回転し得る。このようにして回転停止手段が構成されている。
【００１６】
さらに、蓋１０がボス部６ｂ内に突設された一対のねじ止め用柱状部６ｇにねじ込まれるビス１２により取り付けられる。その蓋１０の中央の貫通孔１０ａによりプッシュロッド１１の軸部が軸線方向に往復動自在に支持される。プッシュロッド１１のボス部６ｂ側の端部には上記斜面部８ａに合わせた斜面を有するブロック状係合部１１ａが形成され、プッシュロッド１１の蓋１０から外側に露出する端部にはキャップ状のボタン１１ｂが一体的に固着されるようになっている。
【００１７】
蓋１０がねじ止め用柱状部６ｇにねじ止めされてフック本体６に固設された図４に示される状態では、スライド部材８の斜面部８ａにプッシュロッド１１のブロック状係合部１１ａの斜面が当接している。これらスライド部材８の斜面部８ａとブロック状係合部１１ａとによりカム手段が構成されている。
【００１８】
なお、図４（ａ）は、コイルばね９により矢印Ｄの向きに弾発付勢されているスライド部材８の先端部（図における左側端部）がリール７の孔７ｄに突入している状態である。その状態でボタン１１ｂを図の矢印Ｃに示されるように押し込むことにより、上記斜面同士が摺接し、コイルばね９の弾発付勢力に抗して没入方向（矢印Ｄの向きとは相反する向き）にスライド部材８が変位し得る。これにより、孔７ｄとスライド部材８との係合状態が解除されるため、リール７が回転自在になる（図４（ｂ））。このようにして、係合状態解除手段が構成されている。
【００１９】
このようにして構成された吊り具４を用いて、上記したトマトの栽培要領について以下に示す。図１の実線で示され栽培初期の状態からトマトの成長に応じて茎が高く伸びると、そのままでは茎の先端が高くなり過ぎて、先端側に結実した実を簡単に取ることができなくなる。そこで、茎の成長に合わせて図１の矢印Ｅに示されるように吊り具４の位置を横にずらすと共に、それに合わせてひも５を垂らす長さを長くする。
【００２０】
このひも５の垂らす長さを長くすることは、ボタン１１ｂを押し込むことにより簡単に行うことができる。上記したようにボタン１１ｂを押し込むことによりスライド部材８がリール７の円筒部７ｂから後退する向きに変位し、スライド部材８の先端部と孔７ｄとの係合が解除されてフック本体６に対してリール７が回転自在になるため、ひも５に巻き付いている茎の重さにより自然にひも５が繰り出される。
【００２１】
また、トマトの茎の上端が適当な高さまで成長し得る長さまでひも５が繰り出された時点でボタン１１ｂの押し込みを解除することにより、スライド部材８がコイルばね９の弾発付勢力によりリール７の円筒部７ｂ側に向けて突出するため、リール７の回転に伴って移動してくる孔７ｄが開口６ｆと一致した時に、スライド部材８の先端部が孔７ｄ内に突入し得る。スライド部材８の変位により、その斜面部８ｂによりブロック状係合部１１ａがガイドされてプッシュロッド１１が押し戻される。
【００２２】
スライド部材８の先端部が孔７ｄに突入して係合状態になることにより、フック本体６に対してリール７のひも繰り出し方向への回転停止状態になり、ひも５の繰り出しが止められる。なお、トマトがさらに成長した場合には図１の矢印Ｆに示されるように再度吊り具４の位置を苗２から遠ざける方にずらし、上記と同様にひも５をさらに繰り出す。以後、これを繰り返すことができる。
【００２３】
上記したように、ボタン１１ｂの操作のみでひも５を繰り出すことができるため、従来例のようにひも５の長さを変える度に吊り具４をワイヤ３から取り外す必要が無い。また、例えば親指でボタン１１ｂを押すと共に他の指でフック本体６の背面を支えることにより、片手で吊り具４を把持しながら、フック部６ａをワイヤ３に掛けたまま吊り具４を変位させることができる。このように、ひも５の繰り出し長さを変える作業を簡単に行うことができるため、トマト栽培のみならず、成長の早い植物の栽培においてその茎を沿わせるためのひもを垂らす吊り具を用いる栽培方法に本発明を有効に適用し得る。
【００２４】
また、ひも５の繰り出し長さが長過ぎて一部巻き戻したい場合には、上記したように、孔７ｄの斜面とスライド部材８の四分円状面との摺接によりスライド部材８の先端部が孔７ｄから離脱して、フック本体６に対してリール７が回転可能である。そのリール７の回転可能な方向はひも５を巻き付ける方向（図３の矢印Ｂ）であり、したがって、ボタン１１ｂを押すことなくリール７を回すのみでひも５を巻き戻すことができる。このように、ひも５の繰り出し方向にはリール７の回転を止めることができると共にひも５の巻き付け方向にはリール７の回転を自在にし得るラチェット機構がフック本体６とリール７との間に設けられていることになるため、上記巻き戻しによる微調整を行う場合においても作業を簡単に行うことができる。
【産業上の利用可能性】
【００２５】
本発明にかかる植物栽培用ひも長さ調整器は、簡単にひもの繰り出し長さを調整することかでき、トマトなどの成長の早い植物を所定の高さ以下にして栽培するのに有用である。
【図面の簡単な説明】
【００２６】
【図１】トマトの養液栽培による状態を示す図である。
【図２】本発明に基づく吊り具を示す分解組立斜視図である。
【図３】吊り具を一部破断して示す図である。
【図４】（ａ）はリールの回転停止状態を示す図３の矢印ＩＶ−ＩＶ線に沿って見た断面図であり、（ｂ）はリールの回転可能状態を示す（ａ）に対応する図である。
【図５】吊り具の使用状態を示す斜視図である。
【符号の説明】
【００２７】
１  マット
２  苗
３  ワイヤ
４  吊り具
５  ひも
６  フック本体、６ａ  フック部、６ｂ  ボス部
７  リール
８  スライド部材、８ａ  斜面部
９  コイルばね
１０  蓋
１１  プッシュロッド、１１ａ  ブロック状係合部
【図１】
2005124424.tif 000003
【図２】
2005124424.tif 000004
【図３】
2005124424.tif 000005
【図４】
2005124424.tif 000006
【図５】
2005124424.tif 000007